(57)【要約】【課題】  装置内に異物が堆積することがなく、地中水の安定した排水／止水操作が可能な排水弁操作装置を提供することにある。【解決手段】  排水弁操作装置１は、ホール水甲２０が上流側の継手管１０に接続する連通接続部２１と、下流側の継手管１５に接続する連通接続部２３と、ホール水甲２０の上部に設けられる立ち上り管４に接続する立ち上り管接続部３２とからなり、ホール水甲２０内で、各連通接続部２１，２３と立ち上り管接続部３２とが直交する箇所には、立ち上がり管接続部３２の下方で上流側の連通接続部２１と下流側の連通接続部２３との間を閉塞する閉塞板３３が傾斜した状態で設けられ、その閉塞板３３には流下孔２９が穿設されており、下降した弁体５が流下孔２９に挿嵌されることで止水する。【選択図】図２
2016160736.tif 000002
【特許請求の範囲】
【請求項１】
水田の暗渠排水又は土中灌水施設等に用いられる継手管の間に接続するホール水甲と、当該ホール水甲内を上下に移動して地中水の排水／止水制御をする弁体とで少なくとも構成される排水弁操作装置であって、
前記ホール水甲が、上流側の継手管に接続する連通接続部と、下流側の継手管に接続する連通接続部と、ホール水甲の上部に設けられる立ち上り管に接続する立ち上り管接続部とからなり、
前記ホール水甲内で、前記各連通接続部と前記立ち上り管接続部とが直交する箇所には、前記立ち上がり管接続部の下方で上流側の前記連通接続部と下流側の前記連通接続部との間を閉塞する閉塞板が傾斜した状態で設けられ、その閉塞板には流下孔が穿設されており、下降した前記弁体が前記流下孔に挿嵌されることで止水することを特徴とする排水弁操作装置。
【請求項２】
上流側の継手管に接続する前記連通接続部が、下流側の継手管に接続する前記連通接続部より高い位置に設けられることを特徴とする請求項１に記載の排水弁操作装置。
【発明の詳細な説明】
【技術分野】
【０００１】
本発明は、水田の暗渠排水又は土中灌水施設等に用いられる排水弁操作装置に関するものである。
【背景技術】
【０００２】
従来より、図１（ａ）〜（ｃ）に示すように、水田の暗渠排水又は土中灌水施設等に用いられる排水弁操作装置１としては、ハンドル２を上下に移動することで立ち上り管４内で先端の弁体５が上下に移動し、ホール水甲４０内の連通接続口４１，４２間に設けられた接触面４４と、立ち上り管接続口４３に設けられた接触面４５とに接触することで、地中水を排水（流下）／止水（遮断）操作する構造のものが知られている。
他にも、継手管に接続された立ち上り管内において、回転ハンドルを操作することで弁体が上下に移動して、地中水を排水／止水操作する構造のものが知られている（特許文献１）。
【先行技術文献】
【特許文献】
【０００３】
【特許文献１】特開２００６−２６６３９６号公報
【発明の概要】
【発明が解決しようとする課題】
【０００４】
しかしながら、このような排水弁操作装置では、弁体の移動によって装置内に土やゴミ等の異物が堆積し易く、一旦異物が装置内に堆積すると、装置自体を地中から取り出して装置内の清掃や異物除去をしなければ漏水してしまい、排水／止水操作が不完全になってしまうという問題があった。
【０００５】
そこで、本発明の目的は、上記従来の排水弁操作装置の問題点を解消し、装置内に異物が堆積することがなく、地中水の安定した排水／止水操作が可能な排水弁操作装置を提供することにある。
【課題を解決するための手段】
【０００６】
本発明のうち、請求項１に記載された発明は、水田の暗渠排水又は土中灌水施設等に用いられる継手管の間に接続するホール水甲と、当該ホール水甲内を上下に移動して地中水の排水／止水制御をする弁体とで少なくとも構成される排水弁操作装置であって、
前記ホール水甲が、上流側の継手管に接続する連通接続部と、下流側の継手管に接続する連通接続部と、ホール水甲の上部に設けられる立ち上り管に接続する立ち上り管接続部とからなり、
前記ホール水甲内で、前記各連通接続部と前記立ち上り管接続部とが直交する箇所には、前記立ち上がり管接続部の下方で上流側の前記連通接続部と下流側の前記連通接続部との間を閉塞する閉塞板が傾斜した状態で設けられ、その閉塞板には流下孔が穿設されており、下降した前記弁体が前記流下孔に挿嵌されることで止水することを特徴とするものである。
【０００７】
請求項２に記載された発明は、請求項１に記載の発明に加え、上流側の継手管に接続する前記連通接続部が、下流側の継手管に接続する前記連通接続部より高い位置に設けられることを特徴とするものである。
【発明の効果】
【０００８】
請求項１に記載された発明は、装置内に異物が堆積することがないため、弁体付近で漏水することがなく、地中水の安定した排水／止水操作が可能である。それにより、装置を地中から堀り出したり、装置内の清掃や異物除去をする必要がない。また、構造がシンプルであり、製造が容易である。
【０００９】
請求項２に記載された発明は、地中水の流下をより一層安定させ、異物が装置内に堆積することを防止する。
【図面の簡単な説明】
【００１０】
【図１】（ａ）〜（ｃ）は従来の排水弁操作装置が継手管に取り付けられた状態を示す説明図である。
【図２】（ａ）は本発明の排水弁操作装置によって地中水を止水した状態を示し、（ｂ）は地中水が流下する状態を示す説明図である。
【図３】（ａ）はホール水甲を示し、（ｂ）は（ａ）の断面を示す説明図である。
【発明を実施するための形態】
【００１１】
以下、本発明の排水弁操作装置の一実施形態について、図面に基づいて詳細に説明する。
【００１２】
図２は、本発明の排水弁操作装置によって地中水の排水／止水操作する状態を示す説明図である。図３は、本発明の排水弁操作装置を示す説明図である。
【００１３】
先ず初めに、図２（ａ）（ｂ）に示すように、排水弁操作装置１は、水田の暗渠排水又は土中灌水施設等に用いられる継手管１０，１５との間に接続するホール水甲２０と、地中水の排水／止水制御をする弁体５とで構成される。
【００１４】
このうち、ホール水甲２０は、上流側の継手管１０に接続する連通接続部２１と、下流側の継手管１５に接続する連通接続部２３と、ホール水甲２０上部に設けられる立ち上り管４に接続する立ち上り管接続部３２とからなる逆Ｔ字形状の管体である。
また、連通接続部２１下面には台座２２が、連通接続部２３下面には台座２４が設けられており、台座２２の方が台座２４よりも高い位置に形成されている。
【００１５】
そして、図３（ａ）（ｂ）に示すように、このホール水甲２０内で連通接続部２１と連通接続部２３と立ち上り管接続部３２とが直交する箇所には、閉塞板３３が約４５度に傾斜した状態で設けられており、その閉塞板３３には流下孔２９が穿設されている。この流下孔２９の周縁には、弁体５の一部が接触する接触面３０と、下端に接触面３１とが形成されている。
他にも、ホール水甲２０内で、連通接続部２１側には、弁体５の一部が接触面２６に接触する係止突起２５が設けられており、連通接続部２３側にも、弁体５の一部が接触面２８に接触する係止突起２７が設けられている。
【００１６】
次に、立ち上り管４は、管体内でハンドル２の操作に連動して操作棒３が上下に移動する構造で、その操作棒３の先端には、円錐状に形成されたゴム製の弁体５が取り付けられていることから、この弁体５もそれに従ってホール水甲２０内から管内を上下に移動する。
【００１７】
このようにして構成される排水弁操作装置１による地中水の排水／止水操作は以下のように行われる。
先ず初めに、図２（ａ）に示すように、ハンドル２が降下した状態では、弁体５もホール水甲２０内に降下することで、閉塞板３３を貫通した弁体５の先端外周が係止突起の接触面２８と接触面３１とに、胴体外周が流下孔２９の接触面３０に、後端の外周が係止突起２５の接触面２６に接触することで挿嵌される状態となり、胴体外周で流下孔２９を閉塞して地中水が止水される。
【００１８】
一方、図２（ｂ）に示すように、ハンドル２が上昇した状態では、弁体５もそれに従って上昇することで、ホール水甲２０内では、弁体５の先端外周が係止突起２７の接触面２８と接触面３１とから、胴体外周が流下孔２９の接触面３０から、後端の外周が係止突起２５の接触面２６から離れ、流水孔２９の閉塞が解除されることで地中水の流下が再開されることとなる。
【００１９】
上記の如く構成される排水弁操作装置１は、ホール水甲２０が上流側の継手管１０に接続する連通接続部２１と、下流側の継手管１５に接続する連通接続部２３と、ホール水甲２０の上部に設けられる立ち上り管４に接続する立ち上り管接続部３２とからなり、ホール水甲２０内で、各連通接続部２１，２３と立ち上り管接続部３２とが直交する箇所には、立ち上がり管接続部３２の下方で上流側の連通接続部２１と下流側の連通接続部２３との間を閉塞する閉塞板３３が傾斜した状態で設けられ、その閉塞板３３には流下孔２９が穿設されており、下降した弁体５が流下孔２９に挿嵌されることで止水する。
それにより、装置内に異物が堆積することがないため、弁体５付近で漏水することがなく、地中水の安定した排水／止水操作が可能である。それにより、装置を地中から堀り出したり、装置内の清掃や異物除去をする必要がない。また、構造がシンプルであり、製造が容易である。
【００２０】
また、上流側の継手管１０に接続される連通接続部２１が、下流側の継手管１５に接続される連通接続部２３より高い位置に設けられることにより、地中水の流下をより一層安定させ、異物が装置内に堆積することを防止する。
【００２１】
なお、本発明にかかる排水弁操作装置は、上記した実施の形態に何ら限定されるものではなく、本発明の趣旨を逸脱しない範囲で、弁体やホール水甲の形状や大きさ等を適宜変更することができる。
【００２２】
例えば、ホール水甲２０内には、閉塞板３３が地中水の流下方向に対して約４５度の傾斜した状態で設けられているが、必ずしもこの角度である必要はなく、弁体５による地中水の排水／止水制御が可能な角度であれば良い。
また、閉塞板３３の傾斜方向は、図２（ａ）（ｂ）や図３（ａ）（ｂ）に示す地中水が流下する方向である必要はなく、地中水の流下する方向と反対の方向や、紙面手前側から紙面奥側に向かう方向に傾斜させても良く、弁体５による地中水の排水／止水制御が可能な方向であれば適宜変更可能である。
【符号の説明】
【００２３】
１・・排水弁操作装置、２・・ハンドル、３・・操作棒、４・・立ち上り管、５・・弁体、１０・・継手管（流入側）、１５・・継手管（排出側）、２０・・ホール水甲、２１・・連通接続部（流入側）、２２・・台座（流入側）、２３・・連通接続部（排出側）、２４・・台座（排出側）、２５・・係止突起（流入側）、２６・・接触面（流入側）、２７・・係止突起（排出側）、２８・・接触面（排出側）、２９・・流下孔、３０・・接触面（流水孔）、３１・・接触面（流入側）、３２・・立ち上り管接続部、３３・・閉塞板、４０・・ホール水甲（従来）、４１・・連通接続部（流入側）、４２・・連通接続部（排出側）、４３・・立ち上り管接続部、４４・・接触面（連通口内）、４５・・接触面（立ち上り管側）。
【図１】
2016160736.tif 000003
【図２】
2016160736.tif 000004
【図３】
2016160736.tif 000005